(57)【要約】【目的】  廃棄の際に焼却処分が可能で、不使用時には大きな保管スペースを必要としないようにする。【構成】  防水性を有するシート状部材１１０からなり、一端が開放端部として開放され、他端が閉塞端部として閉塞された有底筒状の容器本体１００と、容器本体１００を保持する保持体２００とを備え、保持体２００は、開口２１１が開設された上面２１０と、開口２１１の縁部から内側に向かって延設された４つの逆流防止片２１２と、上面２１０の縁部から延設され、保持体２００自身を自立させる支持部２２０とを有し、容器本体１００の閉塞端部は開口２１１から保持体２００の内側に挿入され、容器本体１００の開放端部は保持体２００の開口を除いた上面２１０において固定され、逆流防止片２１２は、容器本体１００の開放端部から閉塞端部までの間の少なくとも一部が逆流防止片２１２に沿って水溜部１５０を形成している。【選択図】      図７
2005153904.tif 000002
【特許請求の範囲】
【請求項１】
防水性を有するシート状部材からなり、一端が開放端部として開放され、他端が閉塞端部として閉塞された有底筒状の容器本体と、この容器本体を保持する保持体とを具備しており、前記保持体は、開口が開設された上面と、前記開口の縁部から内側に向かって延設された逆流防止片と、前記上面の縁部から延設され、保持体自身を自立させる支持部とを有しており、前記容器本体の閉塞端部は前記開口から保持体の内側に挿入され、容器本体の開放端部は保持体の開口を除いた上面において固定されており、前記逆流防止片は、容器本体の開放端部から閉塞端部までの間の少なくとも一部が前記逆流防止片に沿って、水溜部を形成していることを特徴とする切り花用容器。
【請求項２】
前記保持体は、可燃性の材料から構成されていることを特徴とする請求項１記載の切り花用容器。
【請求項３】
前記逆流防止片は、前記上面から折曲形成されていることを特徴とする請求項１又は２記載の切り花用容器。
【発明の詳細な説明】
【技術分野】
【０００１】
本発明は、切り花の搬送等に用いられる切り花用容器に関する。
【背景技術】
【０００２】
切り花を生産業者から生花市場や小売店等に搬送する際には、切り花の鮮度を確保するため、水を入れた搬送容器を用いる。かかる搬送容器としては、最も一般的なものはバケツであるが、搬送中に転倒すると水がこぼれるという問題点がある。
【０００３】
かかる問題点を解消したものとして特開２００３−２９２０７７号公報（特許文献１）記載の切り花用容器や、特開２００３−１１６３４６号公報（特許文献２）記載の切花用逆流防止付保水袋が創案されている。
【０００４】
前記特開２００３−２９２０７７号公報記載の切り花用容器は、有底で且つ上部が開口する容器本体と、該容器本体の上部から内部に向けて延びる内筒とを備える切り花用容器であって、前記内筒は、上方端が前記容器本体の外部と連通し、下方端が前記容器本体の底部に向けて開口しており、前記内筒の外周面と前記容器本体の内周面との間に隙間を有するものである。そして、この切り花用容器は、全体がポリエチレンテレフタレート（ＰＥＴ）のごとき合成樹脂で形成されている。
【０００５】
また、前記特開２００３−１１６３４６号公報記載の切花用逆流防止付保水袋は、容器本体部袋は主部袋への挿入筒部を主部袋の内側に一体に接合して取り付けた筒状体から構成され、該挿入筒部を主部袋の内外部に突設するように形成したものである。そして、この切花用逆流防止付保水袋は、柔軟性、防水性のあるプラスチックフィルム、ナイロン、ポリエチレン等から構成されている。
【０００６】
【特許文献１】特開２００３−２９２０７７号公報
【特許文献２】特開２００３−１１６３４６号公報
【発明の開示】
【発明が解決しようとする課題】
【０００７】
しかしながら、上述した特許文献１に記載された切り花用容器には、以下のような問題点がある。すなわち、この切り花用容器は、全体が合成樹脂から構成されているので、環境汚染の問題から廃棄の際に焼却処分ができないのである。これは、特許文献２に記載された切花用逆流防止付保水袋でも同様である。また、特許文献１に記載された切り花用容器は、不使用時にはそのままの状態で保管しなければならず、大きな保管スペースが必要になるという問題点もある。さらに、特許文献２に記載された切花用逆流防止付保水袋では、テーブル等の上に置いた際に安定しないという問題や、ひっくり返った時に、筒状部が押しつぶされ、その結果、水が外部に漏れでるというおそれもある。
【０００８】
本発明は、上記事情に鑑みて創案されたもので、廃棄の際に焼却処分が可能で、不使用時には大きな保管スペースを必要としない切り花用容器を提供することを目的としている。
【課題を解決するための手段】
【０００９】
本発明に係る切り花用容器は、防水性を有するシート状部材からなり、一端が開放端部として開放され、他端が閉塞端部として閉塞された有底筒状の容器本体と、この容器本体を保持する保持体とを備えており、前記保持体は、開口が開設された上面と、前記開口の縁部から内側に向かって延設された逆流防止片と、前記上面の縁部から延設され、保持体自身を自立させる支持部とを有しており、前記容器本体の閉塞端部は前記開口から保持体の内側に挿入され、容器本体の開放端部は保持体の開口を除いた上面において固定されており、前記逆流防止片は、容器本体の開放端部から閉塞端部までの間の少なくとも一部が前記逆流防止片に沿って、水溜部を形成している。
【００１０】
また、前記保持体は、可燃性の材料から構成されていることが望ましい。
【００１１】
さらに、前記支持部及び逆流防止片は、前記上面から折曲形成されていることが望ましい。
【発明の効果】
【００１２】
本発明に係る切り花用容器は、防水性を有するシート状部材からなり、一端が開放端部として開放され、他端が閉塞端部として閉塞された有底筒状の容器本体と、この容器本体を保持する保持体とを備えており、前記保持体は、開口が開設された上面と、前記開口の縁部から内側に向かって延設された逆流防止片と、前記上面の縁部から延設され、保持体自身を自立させる支持部とを有しており、前記容器本体の閉塞端部は前記開口から保持体の内側に挿入され、容器本体の開放端部は保持体の開口を除いた上面において固定されており、前記逆流防止片は、容器本体の開放端部から閉塞端部までの間の少なくとも一部が前記逆流防止片に沿って、水溜部を形成しているので、容器本体に水を入れた状態で、傾けたり、ひっくり返ったりしても、水は容器本体の水溜部に留まる外部に漏れでることはない。特に、水溜部は逆流防止片に沿って設けられているので、ひっくり返った時でも、水が外部に漏れでることを確実に防止することができる。また、保持体があるので、この切り花用容器はテーブルの上等置いた際でも安定している。
【００１３】
また、前記保持体が、可燃性の材料から構成されていると、廃棄時に焼却処分が可能となるというメリットがある。
【００１４】
さらに、前記支持部及び逆流防止片が、前記上面から折曲形成されていると、不使用時には、保持体を折り畳んでおけるので、コンパクトに収納することが可能となり、大きな保管スペースが不要になる。なお、容器本体はシート状部材からなるので、折り畳めることはいうまでもない。
【発明を実施するための最良の形態】
【００１５】
図１は本発明の実施の形態に係る切り花用容器の概略的断面図、図２は本発明の実施の形態に係る切り花用容器の概略的斜視図、図３は本発明の実施の形態に係る切り花用容器に用いられる保持体の概略的展開図、図４は本発明の実施の形態に係る切り花用容器に用いられる保持体の概略的斜視図、図５は本発明の実施の形態に係る切り花用容器に用いられる容器本体を構成するシート状部材の概略的平面図、図６は本発明の実施の形態に係る切り花用容器に用いられる容器本体の概略的斜視図、図７は本発明の実施の形態に係る切り花用容器の作用を示す概略的断面図である。
【００１６】
本発明の実施の形態に係る切り花用容器は、防水性を有するシート状部材１１０からなり、一端が開放端部として開放され、他端が閉塞端部として閉塞された有底筒状の容器本体１００と、この容器本体１００を保持する保持体２００とを備えており、前記保持体２００は、開口２１１が開設された上面２１０と、前記開口２１１の縁部から内側に向かって延設された４つの逆流防止片２１２と、前記上面２１０の縁部から延設され、保持体２００自身を自立させる支持部２２０とを有しており、前記容器本体１００の閉塞端部は前記開口２１１から保持体２００の内側に挿入され、容器本体１００の開放端部は保持体２００の開口を除いた上面２１０において固定されており、前記逆流防止片２１２は、容器本体１００の開放端部から閉塞端部までの間の少なくとも一部が前記逆流防止片２１２に沿っており、水溜部１５０を形成している。
【００１７】
まず、この切り花用容器は、水を蓄える容器本体１００と、この容器本体１００を保持する保持体２００とから構成されている。
【００１８】
前記保持体２００は、図３に示すような略十文字状に形成された段ボール紙を折曲することによって構成されている。前記段ボール紙の中心に位置する略正方形状の上面２１０の略中央部には、開口２１１が開設されている。この開口２１１の４つの縁部からは、略台形状の逆流防止片２１２がそれぞれ内側に向かって延設されている。この逆流防止片２１２は、裏側に向かって前記縁部から折曲されている。なお、この逆流防止片２１２は、上面２１０と面一になった状態では、開口２１１を完全に閉塞することがないようなサイズに設定されている。
【００１９】
また、前記保持体２００の上面２１０の対向する一対の縁部２１３からは、略長方形状の支持部２２０が延設されている。この支持部２２０は、前記上面２１０に対して略直交方向に折曲されている。なお、この支持部２２０の折曲方向は、前記逆流防止片２１２の折曲方向と同じ方向になっている。
【００２０】
さらに、前記保持体２００の上面の対向する他の一対の縁部２１４からは、略長方形状の折曲片２３０が延設されている。この折曲片２３０は、前記上面２１０に対して略直交方向に折曲されている。なお、この折曲片２３０の折曲方向は、前記逆流防止片２１２や支持部２２０の折曲方向と同じ方向になっている。
【００２１】
前記支持部２２０と折曲片２３０とでは、それぞれ折曲した状態において、折曲片２３０の高さ寸法は、支持部２２０の高さ寸法の約１／２に設定されている。従って、支持部２２０と折曲片２３０とを折曲したものを平面に載置すると、図２に示すように、支持部２２０の下端は平面に接するが、折曲片２３０の下端は平面から浮いた状態になる。
【００２２】
前記容器本体１００は、図５に示すような４枚の防水性を有するシート状部材１１０を組み合わせて超音波溶着等の適宜な手段で接続したものである。このシート状部材１１０は、例えば、オレフィン系の合成樹脂から構成されている。前記シート状部材１１０は、下端が楔状に尖った楔状部１１１となり、この楔状部１１１の上部は楔状部１１１より横方向に大きな略お碗状の碗状部１１２となり、この碗状部１１２の上部は碗状部１１２より横方向に細くなった略鼓状の鼓状部１１３となり、この鼓状部１１３の上部は鼓状部１１３より横方向に大きな台形状部１１４となっている。
【００２３】
前記碗状部１１２の高さ寸法Ｈ１は、前記支持部２２０の高さ寸法より若干大きめに設定されている。また、前記鼓状部１１３の高さ寸法Ｈ２は、鼓状部１１３が逆流防止片２１２及び上面２１０の裏面側の寸法の和より若干大きめに設定されている。さらに、台形状部１１４の横幅寸法は、前記保持体２００の上面２１０の一辺の長さ寸法より若干大きめに設定されている。また、この台形状部１１４の垂直辺１１４Ａの高さ寸法Ｈ３は、台形状部１１４を上面２１０に被せた状態で、折曲された支持部２２０及び折曲片２３０にかかる程度の大きさに設定されている。
【００２４】
このように構成された４枚のシート状部材１１０の各部の縁部をそれぞれ超音波溶着等の適宜な手段で接続することによって、前記容器本体１００が形成されるのである。その際、台形状部１１４の上端縁部のみは接続しない。これにより、容器本体１００は一端、すなわち台形状部１１４は開放端部として開放され、他端、すなわち楔状部１１１は閉塞端部として閉塞された有底筒状となるのである。
【００２５】
このように構成された容器本体１００と保持体２００とは次のように組み合わせられて切り花用容器となる。
まず、保持体２００は、上述したように、支持部２２０と折曲片２３０とを同じ方向で上面２１０に対して直交した方向に折曲する。また、４枚の逆流防止片２１２も支持部２２０等と同じ方向に折曲する。
【００２６】
次に、前記保持体２００の開口２１１、すなわち４枚の逆流防止片２１２を折曲した状態の開口２１１から容器本体１００を挿入する。そして、前記容器本体１００を構成する４枚のシート状部材１１０の前記碗状部１１２の上端部、すなわち碗状部１１２と鼓状部１１３との境目１１５を上面２１０と各支持部２２０及び折曲片２３０との境目の裏側に接着剤等で固定する。
【００２７】
さらに、容器本体１００を構成する４枚のシート状部材１１０の台形状部１１４を外側に広げて、保持体２００の上面２１０を４つの台形状部１１４によって覆う。すると、４つの台形状部１１４は、上面２１０のみならず、折曲された支持部２２０及び折曲片２３０にもかかるようになる。なお、４つの台形状部１１４は、接着テープや接着剤等の適宜な手段によって、上面２１０に固定することが望ましい。
【００２８】
容器本体１００の鼓状部１１３は、保持体２００の内側において、逆流防止片２１２の表裏両面に沿い、碗状部１１２は、上面２１０の裏面と支持部２２０及び折曲片２３０との裏面に沿って拡がる。その部分は、切り花用容器が傾いたり、ひっくり返ったりした場合の水留部１５０となる（図１参照）。
【００２９】
このように構成した切り花用容器は、図７（Ａ）に示すように、容器本体１００に水Ｗを入れると、水Ｗは容器本体１００の底部に溜まる。
【００３０】
図７（Ｂ）に示すように、切り花用容器を傾けると、水Ｗは下側に位置する前記水溜部１５０に溜まり、外部に漏れでることはない。また、図７（Ｃ）に示すように、切り花用容器をまっさかさまにひっくり返しても、水Ｗは前記水溜部１５０に溜まり、外部に漏れでることはない。
【００３１】
なお、切り花は、開口２１１から容器本体１００の内部に差し込む。その際、逆流防止片２１２が切り花の茎部分を抑えるので、切り花は安定した状態で切り花用容器に差し込まれるという効果もある。
なお、上述した実施の形態では、保持体２００を段ボール紙で形成したが、他の素材、例えば防水加工を施した厚紙等で形成してもよいことはいうまでもない。また、上述した実施の形態では、容器本体１００の素材をオレフィン系の合成樹脂としたが、他の素材、例えば、防水加工を施した厚紙、ラミネート加工を施した厚紙等を用いてもよいことはもちろんである。
【００３２】
さらに、保持体２００の開口２１１には、４つの逆流防止片２１２が設けられているとしたが、２つ以上であれば個数は問わない。ただし、逆流防止片を２つ設ける場合には、逆流防止片は対向していることが、水Ｗの外部への漏れだしを有効に防止する。
【図面の簡単な説明】
【００３３】
【図１】本発明の実施の形態に係る切り花用容器の概略的断面図である。
【図２】本発明の実施の形態に係る切り花用容器の概略的斜視図である。
【図３】本発明の実施の形態に係る切り花用容器に用いられる保持体の概略的展開図である。
【図４】本発明の実施の形態に係る切り花用容器に用いられる保持体の概略的斜視図である。
【図５】本発明の実施の形態に係る切り花用容器に用いられる容器本体を構成するシート状部材の概略的平面図である。
【図６】本発明の実施の形態に係る切り花用容器に用いられる容器本体の概略的斜視図である。
【図７】本発明の実施の形態に係る切り花用容器の作用を示す概略的断面図である。
【符号の説明】
【００３４】
１００    容器本体
１５０    水溜部
２００    保持体
２１０    上面
２１１    開口
２１２    逆流防止片
２２０    支持部
【図１】
2005153904.tif 000003
【図２】
2005153904.tif 000004
【図３】
2005153904.tif 000005
【図４】
2005153904.tif 000006
【図５】
2005153904.tif 000007
【図６】
2005153904.tif 000008
【図７】
2005153904.tif 000009